(57)【要約】【課題】過去に視聴したコンテンツを簡単に思い出させるようにする。【解決手段】視聴履歴生成部２７は、コンテンツ記録部２５から供給されたコンテンツデータおよび関連情報を用いて、ユーザが視聴したコンテンツの視聴の履歴である視聴履歴を生成し、視聴履歴記録部２８に記録させる。この視聴履歴には、ユーザにより視聴されたコンテンツを特定するタイトル、ユーザのコンテンツに対する感想等のコメント、コンテンツの要約動画像の内容を表すサムネイル画像、関連する他の視聴履歴を示す関連リンク、コンテンツの内容に関する情報などが表示される。本発明は、コンテンツの記録および再生を行う記録再生装置に適用することができる。【選択図】図１
2008078997.tif 000002
【特許請求の範囲】
【請求項１】
コンテンツを記録する記録手段と、
記録されている前記コンテンツの再生を制御する再生制御手段と、
再生された前記コンテンツの視聴履歴であって、前記コンテンツの内容に関する情報、前記コンテンツを特定するタイトル、および前記コンテンツに関連する画像が表示される視聴履歴を表示させるための視聴履歴データを生成する視聴履歴生成手段と
を備える情報処理装置。
【請求項２】
すでに生成された他の視聴履歴データにより表示される他の視聴履歴のうち、所定の条件を満たす視聴履歴を、前記視聴履歴に関連する他の視聴履歴として検索する検索手段をさらに備え、
前記視聴履歴生成手段は、検索された前記他の視聴履歴に関する情報が前記視聴履歴に表示されるように、前記視聴履歴データを生成する
請求項１に記載の情報処理装置。
【請求項３】
すでに生成された他の視聴履歴データにより表示される他の視聴履歴のうち、所定の条件を満たす視聴履歴を、前記視聴履歴に関連する他の視聴履歴として検索する検索手段と、
前記検索手段により検索された前記他の視聴履歴に、前記視聴履歴に関する情報が表示されるように、前記他の視聴履歴データを更新する更新手段と
をさらに備える請求項１に記載の情報処理装置。
【請求項４】
前記コンテンツの所定の区間を再生させるための動画像データを再圧縮することによって、前記コンテンツの要約動画像を生成する要約動画像生成手段をさらに備え、
前記視聴履歴に表示される、前記コンテンツに関連する画像は、前記要約動画像の内容を表すサムネイル画像とされる
請求項１に記載の情報処理装置。
【請求項５】
前記所定の区間は、前記コンテンツを構成する所定のシーンの先頭の位置を開始位置とする所定の長さの区間とされる
請求項４に記載の情報処理装置。
【請求項６】
ユーザによって選択された、前記コンテンツの内容に関連する単語と、感想を表す単語とを組み合わせて、前記ユーザの前記コンテンツに対するコメントを生成するコメント生成手段をさらに備え、
前記視聴履歴生成手段は、前記視聴履歴に前記コメントが表示されるように前記視聴履歴データを生成する
請求項１に記載の情報処理装置。
【請求項７】
ウェブページの所定の位置に前記視聴履歴を表示させるためのデータとして、生成された前記視聴履歴データを、通信網を介して接続されている他の装置にアップロードするアップロード手段をさらに備える
請求項１に記載の情報処理装置。
【請求項８】
コンテンツの記録を制御し、
記録されている前記コンテンツの再生を制御し、
再生された前記コンテンツの視聴履歴であって、前記コンテンツの内容に関する情報、前記コンテンツを特定するタイトル、および前記コンテンツに関連する画像が表示される視聴履歴を表示させるための視聴履歴データを生成する
ステップを含む情報処理方法。
【請求項９】
コンテンツの記録を制御し、
記録されている前記コンテンツの再生を制御し、
再生された前記コンテンツの視聴履歴であって、前記コンテンツの内容に関する情報、前記コンテンツを特定するタイトル、および前記コンテンツに関連する画像が表示される視聴履歴を表示させるための視聴履歴データを生成する
ステップをコンピュータに実行させるプログラム。
【請求項１０】
請求項９に記載のプログラムが記録されている記録媒体。
【発明の詳細な説明】
【技術分野】
【０００１】
本発明は情報処理装置および方法、プログラム、並びに記録媒体に関し、特に、過去に視聴されたコンテンツを簡単に思い出させることができるようにした情報処理装置および方法、プログラム、並びに記録媒体に関する。
【背景技術】
【０００２】
従来、番組の録画および再生を行う記録再生装置には、録画された番組を構成するいくつかのシーンを代表するサムネイル画像を生成し、生成されたサムネイル画像の一覧を表示させる機能を有するものがある（例えば、特許文献１参照）。
【０００３】
そのような記録再生装置では、録画された各番組についてサムネイル画像の一覧が生成されるので、ユーザは、その一覧を見ることで録画された番組の内容をある程度把握することができ、録画された番組から所望する番組を選択して視聴することができる。また、この一覧には、付加情報として、サムネイル画像により示されるシーンの時刻情報も表示される。
【０００４】
また、インターネットを利用して番組を配信するシステムにおいて、ユーザがこれまでに視聴した番組の視聴時間や料金を確認できるように、番組が視聴された日、その番組のタイトル、および課金された金額を視聴履歴として顧客端末に表示するシステムも提案されている（例えば、特許文献２参照）。
【０００５】
【特許文献１】特開２００２−１９９３４８号公報
【０００６】
【特許文献２】特開２００５−２６０８１８号公報
【発明の開示】
【発明が解決しようとする課題】
【０００７】
ところで、ユーザは、過去にどのようなコンテンツを視聴したかを思い出してみたり、過去に視聴したコンテンツについて友人と話して楽しんだりすることがある。しかしながら、上述した技術では、視聴されたコンテンツの内容に関する情報をユーザに提示することは考慮されていないので、ユーザは、自分が過去に視聴した番組等のコンテンツの内容を簡単に思い出すことが出来ないことがあった。
【０００８】
すなわち、サムネイル画像の一覧を表示させる方法では、ユーザはサムネイル画像の一覧を見ることで、録画された番組の内容をある程度は把握することはできるが、記録再生装置においては、録画された全ての番組について一覧が生成されるので、ユーザは膨大な数の一覧の中から、自分が知りたいと思う番組の一覧を探し出さなければならなかった。
【０００９】
また、顧客端末に視聴履歴を表示する方法では、視聴履歴には、視聴された番組の内容については表示されないので、ユーザが視聴した番組のタイトルおよび視聴した日だけから、その番組の内容を思い出すことは困難であった。
【００１０】
本発明は、このような状況に鑑みてなされたものであり、過去に視聴されたコンテンツの内容をユーザに簡単に思い出させることができるようにするものである。
【課題を解決するための手段】
【００１１】
本発明の一側面の情報処理装置は、コンテンツを記録する記録手段と、記録されている前記コンテンツの再生を制御する再生制御手段と、再生された前記コンテンツの視聴履歴であって、前記コンテンツの内容に関する情報、前記コンテンツを特定するタイトル、および前記コンテンツに関連する画像が表示される視聴履歴を表示させるための視聴履歴データを生成する視聴履歴生成手段とを備える。
【００１２】
情報処理装置には、すでに生成された他の視聴履歴データにより表示される他の視聴履歴のうち、所定の条件を満たす視聴履歴を、前記視聴履歴に関連する他の視聴履歴として検索する検索手段をさらに設け、前記視聴履歴生成手段には、検索された前記他の視聴履歴に関する情報が前記視聴履歴に表示されるように、前記視聴履歴データを生成させることができる。
【００１３】
情報処理装置には、すでに生成された他の視聴履歴データにより表示される他の視聴履歴のうち、所定の条件を満たす視聴履歴を、前記視聴履歴に関連する他の視聴履歴として検索する検索手段と、前記検索手段により検索された前記他の視聴履歴に、前記視聴履歴に関する情報が表示されるように、前記他の視聴履歴データを更新する更新手段とをさらに設けることができる。
【００１４】
情報処理装置には、前記コンテンツの所定の区間を再生させるための動画像データを再圧縮することによって、前記コンテンツの要約動画像を生成する要約動画像生成手段をさらに設け、前記視聴履歴に表示される、前記コンテンツに関連する画像は、前記要約動画像の内容を表すサムネイル画像とすることができる。
【００１５】
情報処理装置には、ユーザによって選択された、前記コンテンツの内容に関連する単語と、感想を表す単語とを組み合わせて、前記ユーザの前記コンテンツに対するコメントを生成するコメント生成手段をさらに設け、前記視聴履歴生成手段には、前記視聴履歴に前記コメントが表示されるように前記視聴履歴データを生成させることができる。
【００１６】
情報処理装置には、ウェブページの所定の位置に前記視聴履歴を表示させるためのデータとして、生成された前記視聴履歴データを、通信網を介して接続されている他の装置にアップロードするアップロード手段をさらに設けることができる。
【００１７】
本発明の一側面の情報処理方法またはプログラムは、コンテンツの記録を制御し、記録されている前記コンテンツの再生を制御し、再生された前記コンテンツの視聴履歴であって、前記コンテンツの内容に関する情報、前記コンテンツを特定するタイトル、および前記コンテンツに関連する画像が表示される視聴履歴を表示させるための視聴履歴データを生成するステップを含む。
【００１８】
本発明の一側面においては、コンテンツが記録され、記録されている前記コンテンツの再生が制御され、再生された前記コンテンツの視聴履歴であって、前記コンテンツの内容に関する情報、前記コンテンツを特定するタイトル、および前記コンテンツに関連する画像が表示される視聴履歴を表示させるための視聴履歴データが生成される。
【発明の効果】
【００１９】
本発明の一側面によれば、視聴したコンテンツに関する視聴履歴を表示させることができる。特に、本発明の一側面によれば、過去に視聴されたコンテンツの内容をユーザに簡単に思い出させることができる。
【発明を実施するための最良の形態】
【００２０】
以下に本発明の実施の形態を説明するが、本発明の構成要件と、明細書又は図面に記載の実施の形態との対応関係を例示すると、次のようになる。この記載は、本発明をサポートする実施の形態が、明細書又は図面に記載されていることを確認するためのものである。従って、明細書又は図面中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００２１】
本発明の一側面の情報処理装置は、コンテンツを記録する記録手段（例えば、図１のコンテンツ記録部２５）と、記録されている前記コンテンツの再生を制御する再生制御手段（例えば、図１の再生制御部２６）と、再生された前記コンテンツの視聴履歴であって、前記コンテンツの内容に関する情報、前記コンテンツを特定するタイトル、および前記コンテンツに関連する画像が表示される視聴履歴を表示させるための視聴履歴データを生成する視聴履歴生成手段（例えば、図２の視聴履歴データ生成部６２）とを備える。
【００２２】
情報処理装置には、すでに生成された他の視聴履歴データにより表示される他の視聴履歴のうち、所定の条件を満たす視聴履歴を、前記視聴履歴に関連する他の視聴履歴として検索する検索手段（例えば、図２の検索部７１）をさらに設け、前記視聴履歴生成手段には、検索された前記他の視聴履歴に関する情報が前記視聴履歴に表示されるように、前記視聴履歴データを生成させる（例えば、図６のステップＳ７９の処理）ことができる。
【００２３】
情報処理装置には、すでに生成された他の視聴履歴データにより表示される他の視聴履歴のうち、所定の条件を満たす視聴履歴を、前記視聴履歴に関連する他の視聴履歴として検索する検索手段（例えば、図２の検索部７１）と、前記検索手段により検索された前記他の視聴履歴に、前記視聴履歴に関する情報が表示されるように、前記他の視聴履歴データを更新する更新手段（例えば、図２の関連リンク生成部６１）とをさらに設けることができる。
【００２４】
情報処理装置には、前記コンテンツの所定の区間を再生させるための動画像データを再圧縮することによって、前記コンテンツの要約動画像を生成する要約動画像生成手段（例えば、図２の動画像データ生成部６３）をさらに設け、前記視聴履歴に表示される、前記コンテンツに関連する画像は、前記要約動画像の内容を表すサムネイル画像とすることができる。
【００２５】
情報処理装置には、ユーザによって選択された、前記コンテンツの内容に関連する単語と、感想を表す単語とを組み合わせて、前記ユーザの前記コンテンツに対するコメントを生成するコメント生成手段（例えば、図２のコメント生成部７２）をさらに設け、前記視聴履歴生成手段には、前記視聴履歴に前記コメントが表示されるように前記視聴履歴データを生成させる（例えば、図６のステップＳ７９の処理）ことができる。
【００２６】
情報処理装置には、ウェブページの所定の位置に前記視聴履歴を表示させるためのデータとして、生成された前記視聴履歴データを、通信網を介して接続されている他の装置にアップロードするアップロード手段（例えば、図１２のメッセージ生成部１６１および通信部１６２）をさらに設けることができる。
【００２７】
本発明の一側面の情報処理方法またはプログラムは、コンテンツの記録を制御し（例えば、図４のステップＳ１２）、記録されている前記コンテンツの再生を制御し（例えば、図５のステップＳ４１）、再生された前記コンテンツの視聴履歴であって、前記コンテンツの内容に関する情報、前記コンテンツを特定するタイトル、および前記コンテンツに関連する画像が表示される視聴履歴を表示させるための視聴履歴データを生成する（例えば、図６のステップＳ７９）ステップを含む。
【００２８】
以下、図面を参照して、本発明を適用した実施の形態について説明する。
【００２９】
図１は、本発明を適用した記録再生装置の構成例を示すブロック図である。
【００３０】
記録再生装置１１は、ユーザが視聴するコンテンツとして、テレビジョン放送された番組を記録したり、記録された番組を再生したりする。記録再生装置１１は、入力部２１、チューナ２２、記録制御部２３、関連情報取得部２４、コンテンツ記録部２５、再生制御部２６、視聴履歴生成部２７、視聴履歴記録部２８、および視聴履歴表示制御部２９から構成される。
【００３１】
入力部２１は、例えばボタン、リモートコマンダからのコマンドを受信する受信部などからなり、ユーザの操作に応じた信号を記録制御部２３、再生制御部２６、視聴履歴生成部２７、および視聴履歴表示制御部２９に供給する。
【００３２】
チューナ２２は、図示せぬ放送局から送信された、番組を再生させるための放送信号を受信し、受信した放送信号を記録制御部２３に供給する。また、チューナ２２は、コンテンツとしての番組の内容や放送予定など、コンテンツに関連する情報である関連情報を、受信した放送信号から取得して関連情報取得部２４に供給する。例えばチューナ２２は、放送信号から関連情報としてEPG（Electronic Program Guide）を取得する。
【００３３】
記録制御部２３は、入力部２１から番組の録画を指示する信号が供給されると、チューナ２２から供給された放送信号をコンテンツ記録部２５に供給して記録させる。関連情報取得部２４は、チューナ２２から関連情報を取得し、取得した関連情報をコンテンツ記録部２５に供給して記録させる。なお、関連情報取得部２４は、インターネットなどの通信網を介して記録再生装置１１に接続されている他の装置から、iEPG（Internet EPG）などを関連情報として取得するようにしてもよい。
【００３４】
コンテンツ記録部２５は、例えばハードディスクなどからなり、記録制御部２３から供給された放送信号、および関連情報取得部２４から供給された関連情報を記録する。なお、以下の説明において、番組を再生させるための放送信号を、適宜、コンテンツデータとも称する。また、コンテンツ記録部２５は、記録しているコンテンツデータまたは関連情報を、再生制御部２６または視聴履歴生成部２７に供給する。
【００３５】
再生制御部２６はコンテンツの再生を制御する。すなわち、再生制御部２６は、コンテンツ記録部２５から供給されたコンテンツデータを所定の方式により伸張し、これにより得られたコンテンツデータを図示せぬ表示装置に供給して表示させる。
【００３６】
また、再生制御部２６は、視聴履歴記録部２８から供給された要約動画像、より詳細には要約動画像を表示させるための要約動画像データを所定の方式により伸張し、これにより得られた要約動画像データを表示装置に供給して表示させる。ここで、要約動画像とは、コンテンツ記録部２５に記録されているコンテンツ、またはそのコンテンツの所定のシーンの内容をユーザが短時間で理解できるようにコンテンツから抽出された、コンテンツの所定の区間の動画像、すなわち、いわゆるダイジェスト動画をいう。
【００３７】
さらに、再生制御部２６は、コンテンツ記録部２５から供給された関連情報を、図示せぬ表示装置に供給して表示させる。
【００３８】
視聴履歴生成部２７は、コンテンツ記録部２５から供給されたコンテンツデータおよび関連情報を用いて、ユーザが視聴したコンテンツの視聴の履歴である視聴履歴を生成する。ここで、１つの視聴履歴には、記録再生装置１１に録画され、ユーザにより視聴された１つのコンテンツに関する情報、例えばコンテンツの内容の紹介などの情報が表示される。
【００３９】
また、視聴履歴生成部２７は、コンテンツ記録部２５から供給されたコンテンツデータを用いて、そのコンテンツデータにより再生されるコンテンツの要約動画像を生成し、生成した要約動画像を視聴履歴記録部２８に供給する。
【００４０】
視聴履歴記録部２８は、例えばハードディスクなどからなり、視聴履歴生成部２７から供給された視聴履歴および要約動画像を記録する。また、視聴履歴記録部２８は、記録している視聴履歴を視聴履歴表示制御部２９に供給し、要約動画像を再生制御部２６に供給する。視聴履歴表示制御部２９は、視聴履歴記録部２８から供給された視聴履歴を図示せぬ表示装置に供給し、表示させる。
【００４１】
図２は、図１の視聴履歴生成部２７のより詳細な構成例を示すブロック図である。
【００４２】
視聴履歴生成部２７は、関連リンク生成部６１、視聴履歴データ生成部６２、および動画像データ生成部６３から構成される。
【００４３】
関連リンク生成部６１は、視聴されたコンテンツの視聴履歴に関連する他の視聴履歴を示す情報である関連リンクを生成する。関連リンク生成部６１は、検索部７１を備えており、検索部７１は、視聴履歴記録部２８に記録されている視聴履歴から、これから生成しようとする視聴履歴に関連する他の視聴履歴を検索する。関連リンク生成部６１は、検索部７１による検索の結果として得られた視聴履歴を示す情報を関連リンクとして生成し、生成した関連リンクを視聴履歴データ生成部６２に供給する。
【００４４】
視聴履歴データ生成部６２は、コンテンツ記録部２５からのコンテンツデータおよび関連情報、関連リンク生成部６１からの関連リンク、並びに動画像データ生成部６３からの要約動画像を用いて、視聴履歴を表示させるための視聴履歴データを生成する。視聴履歴データ生成部６２は、コメント生成部７２およびサムネイル画像生成部７３を備えている。
【００４５】
コメント生成部７２は、入力部２１からの信号に基づいて、視聴されたコンテンツに対するユーザの感想等のコメントを生成する。サムネイル画像生成部７３は、コンテンツ記録部２５からのコンテンツデータ、または動画像データ生成部６３からの要約動画像データを用いて、コンテンツまたは要約動画像の内容を表すサムネイル画像を生成する。
【００４６】
視聴履歴データ生成部６２は、関連リンク生成部６１からの関連リンク、コメント生成部７２により生成されたコメント、およびサムネイル画像生成部７３により生成されたサムネイル画像が表示される視聴履歴の視聴履歴データを生成する。視聴履歴データ生成部６２は、生成した視聴履歴データと、動画像データ生成部６３からの要約動画像とを視聴履歴記録部２８に供給して記録させる。なお、より詳細には視聴履歴データには、視聴履歴により紹介されるコンテンツの関連情報がメタデータとして含まれている。
【００４７】
動画像データ生成部６３は、コンテンツ記録部２５からのコンテンツデータを用いて、要約動画像データを生成する。動画像データ生成部６３は、抽出部７４および再圧縮部７５を備えている。
【００４８】
抽出部７４は、コンテンツ記録部２５からのコンテンツデータから、要約動画像とする区間の動画像データを抽出して再圧縮部７５に供給する。再圧縮部７５は、抽出部７４からの動画像データを所定の方式により再圧縮することで、要約動画像データを生成し、視聴履歴データ生成部６２に供給する。
【００４９】
ところで、ユーザが記録再生装置１１に記録されているコンテンツを再生させて視聴しているときに、その視聴しているコンテンツの視聴履歴の生成を指示すると、記録再生装置１１は、コンテンツの視聴履歴、より詳細には視聴履歴の視聴履歴データを生成して記録する。そして、ユーザが記録再生装置１１を操作して視聴履歴の表示を指示すると、記録再生装置１１は接続されている表示装置に、例えば図３に示す視聴履歴を表示させる。
【００５０】
図３の例では、１つの視聴履歴が表示されている。この視聴履歴には、視聴履歴により紹介されるコンテンツを特定するためのタイトル１０１が表示されている。図３では、タイトル１０１には、文字“愉快なりゆき番組 雷雲！きよし城”が表示されている。このタイトル１０１は、例えばコンテンツ記録部２５に記録されている関連情報に含まれているコンテンツの名前、すなわち番組名とされるが、ユーザにより入力されたものとされてもよい。
【００５１】
また、タイトル１０１の図中、上側には、その視聴履歴により紹介されているコンテンツが視聴された日時である視聴日時１０２が表示されており、タイトル１０１の下側には、コンテンツの内容を表すサムネイル画像１０３、およびユーザのコンテンツに対するコメント１０４が表示されている。
【００５２】
すなわち、視聴日時１０２として、コンテンツが視聴された年月日および曜日を示す文字“１９８９年４月１４日（金）”が表示されており、コメント１０４として、ユーザにより入力された、コンテンツに対するコメントを示す文字“やっぱり関門海峡は面白い！今度出てみようかな・・・”が表示されている。なお、視聴日時１０２は、コンテンツが録画された日時とされてもよい。
【００５３】
さらに、サムネイル画像１０３の図中、下側にはコンテンツの内容に関連する情報１０５が表示されている。図３では、コンテンツの内容に関連する情報１０５として、出演者を示す文字“エートきよし、山隼人、稲田淳一、島田洋一、城おちる、倉敷勝男、ストロング金田、丹古父鬼馬二、小念寺誠、きよし軍団”が表示されている。このコンテンツの内容に関連する情報１０５は、コンテンツの出演者に限らず、コンテンツの放送時刻や放送局名、コンテンツの内容を紹介する文章などとすることができる。
【００５４】
さらに、また、表示されている視聴履歴の図中、下側には、視聴履歴により紹介されているコンテンツの要約動画像の内容を表すサムネイル画像１０６−１乃至サムネイル画像１０６−４のそれぞれが表示されている。すなわち、これらのサムネイル画像１０６−１乃至サムネイル画像１０６−４のそれぞれにより示される要約動画像のそれぞれは、サムネイル画像１０３により示されるコンテンツに含まれる所定の区間のそれぞれが、再圧縮されて得られた動画像のそれぞれとなっている。
【００５５】
なお、これらのサムネイル画像１０６−１乃至サムネイル画像１０６−４は、１つの要約動画像を構成するいくつかのシーンのそれぞれの内容を表すサムネイル画像とされてもよい。また、サムネイル画像１０６−１乃至サムネイル画像１０６−４は、コンテンツに関連する画像であれば、要約動画像のサムネイル画像に限らず、コンテンツを構成するいくつかのシーンの内容を表すサムネイル画像、そのコンテンツに関連する他のコンテンツ、例えば関連リンク１０７−１乃至関連リンク１０７−４により示されるコンテンツのそれぞれの内容を表すサムネイル画像のそれぞれなどとされてもよい。
【００５６】
ユーザは、これらのサムネイル画像１０６−１乃至サムネイル画像１０６−４を見ることで、視覚的にコンテンツの内容を思い出すことができる。
【００５７】
さらに、コンテンツの内容に関連する情報１０５の図中、右側には、視聴履歴により紹介されているコンテンツに関連する、他のコンテンツの視聴履歴を示す関連リンク１０７−１乃至関連リンク１０７−４のそれぞれが表示されている。例えば、関連リンク１０７−１として、関連するコンテンツのタイトルおよび視聴日時を示す文字“１９８９年４月２１日（金） 愉快なりゆき番組 雷雲！きよ・・・”が表示されている。
【００５８】
また、例えば関連リンク１０７−１乃至関連リンク１０７−４のそれぞれは、図中、上から下に、表示されている視聴履歴のコンテンツに対する、関連リンクにより示される視聴履歴のコンテンツの関連の度合いの高い順番、またはコンテンツの視聴日時の新しい順番などの所定の順番で表示されている。例えば、関連リンクが図中、上側から関連の度合いの高い順に表示される場合、関連リンク１０７−１により示される視聴履歴のコンテンツが、表示されている視聴履歴のコンテンツとの関連の度合いが最も高いコンテンツとされる。
【００５９】
さらに、関連リンク１０７−１乃至関連リンク１０７−４のうちのいずれかがユーザにより選択されると、表示装置に現在表示されている視聴履歴から、選択された関連リンクにより示されるコンテンツの視聴履歴に表示が切り替えられる。
【００６０】
なお、以下の説明において、サムネイル画像１０６−１乃至サムネイル画像１０６−４のそれぞれを特に区別する必要のない場合、単にサムネイル画像１０６と称する。また、以下、関連リンク１０７−１乃至関連リンク１０７−４のそれぞれを特に区別する必要のない場合、単に関連リンク１０７と称する。
【００６１】
また、視聴履歴に表示されるタイトル１０１やコメント１０４は、視聴履歴が生成された後、ユーザが編集して変更できるようにしてもよい。
【００６２】
次に、図３に示した視聴履歴を生成するために、記録再生装置１１によって実行される各処理について説明する。
【００６３】
まず、図４のフローチャートを参照して、ユーザが記録再生装置１１にコンテンツの録画を指示したときに行われる録画処理について説明する。なお、この録画処理は、入力部２１から記録制御部２３に、ユーザの操作に応じてコンテンツの録画を指示する信号が供給されると開始される。
【００６４】
ステップＳ１１において、記録制御部２３は、入力部２１からの録画を指示する信号に応じて、チューナ２２から録画が指示されたコンテンツのコンテンツデータを取得する。すなわち、チューナ２２は、放送局から送信されたコンテンツデータとしての放送信号を受信し、記録制御部２３は、チューナ２２により受信された放送信号をチューナ２２から取得する。記録制御部２３は、取得したコンテンツデータをコンテンツ記録部２５に供給する。
【００６５】
ステップＳ１２において、コンテンツ記録部２５は、記録制御部２３から供給されたコンテンツデータを記録し、録画処理は終了する。
【００６６】
このようにして、ユーザにより録画が指示されたコンテンツのコンテンツデータが取得されて、コンテンツ記録部２５に記録される。また、この録画処理とは別に、コンテンツ記録部２５は、関連情報取得部２４から供給される関連情報を記録する。すなわち、関連情報取得部２４は、チューナ２２が受信したコンテンツデータとしての放送信号に含まれている関連情報が更新されるたびに、更新された新たな関連情報をチューナ２２から取得してコンテンツ記録部２５に供給し、記録させる。
【００６７】
このように、コンテンツ記録部２５にコンテンツが記録されると、ユーザは、記録されたコンテンツを再生させて視聴することができる。ユーザが、記録再生装置１１またはリモートコマンダを操作して視聴したいコンテンツを指定し、そのコンテンツの再生を指示すると、入力部２１から再生制御部２６には、ユーザの操作に応じて、コンテンツの再生を指示する信号が供給される。すると、記録再生装置１１は、指定されたコンテンツを再生する処理である再生処理を開始する。
【００６８】
以下、図５のフローチャートを参照して、記録再生装置１１による再生処理について説明する。
【００６９】
ステップＳ４１において、再生制御部２６は、入力部２１から供給されたコンテンツの再生を指示する信号に応じて、指定されたコンテンツの再生を開始する。すなわち、再生制御部２６は、コンテンツ記録部２５から指定されたコンテンツのコンテンツデータを取得し、取得したコンテンツデータを、例えばMPEG（Moving Picture Experts Group）2などの方式により伸張し、これにより得られたコンテンツデータを記録再生装置１１に接続されている表示装置に供給してコンテンツを表示させる。そして、再生制御部２６は、コンテンツの再生が終了するか、または再生の終了が指示されるまで、コンテンツデータを伸張し、表示装置にコンテンツを表示させる処理を継続して行う。
【００７０】
ステップＳ４２において、視聴履歴生成部２７の視聴履歴データ生成部６２は、入力部２１からの信号に基づいて、視聴履歴の生成が指示されたか否かを判定する。
【００７１】
例えば、ユーザがコンテンツの視聴中に、視聴しているコンテンツの視聴履歴の生成を指示する場合、ユーザは記録再生装置１１を操作するためのリモートコマンダを操作して、表示装置にメニュー画面を表示させる。そして、さらにそのメニュー画面から、視聴履歴の生成を指示するための項目が選択されるようにリモートコマンダを操作する。すると、リモートコマンダから入力部２１としての受信部には、視聴履歴の生成を指示するコマンドが送信される。
【００７２】
入力部２１は、リモートコマンダからのコマンドを受信すると、視聴履歴データ生成部６２に視聴履歴の生成を指示する信号を供給する。視聴履歴データ生成部６２は、入力部２１から視聴履歴の生成を指示する信号が供給された場合、視聴履歴の生成が指示されたと判定する。
【００７３】
また、例えばリモートコマンダに、視聴履歴の生成を指示するためのボタンが設けられるようにし、そのボタンがユーザによって操作されると、リモートコマンダから記録再生装置１１に視聴履歴の生成を指示するコマンドが送信されるようにしてもよい。
【００７４】
ステップＳ４２において、視聴履歴の生成が指示されていないと判定された場合、視聴履歴は生成されないのでステップＳ４３の処理はスキップされて、処理はステップＳ４４に進む。
【００７５】
これに対して、ステップＳ４２において、視聴履歴の生成が指示されたと判定された場合、処理はステップＳ４３に進み、視聴履歴生成処理が行われる。なお、視聴履歴生成処理の詳細は後述するが、この視聴履歴生成処理において、ユーザが視聴しているコンテンツの内容を紹介する視聴履歴が生成されて記録される。
【００７６】
ステップＳ４２において視聴履歴の生成が指示されていないと判定されたか、またはステップＳ４３において視聴履歴生成処理が行われると、ステップＳ４４において、再生制御部２６は、コンテンツの再生を終了するか否かを判定する。
【００７７】
例えば、コンテンツが最後まで再生された場合、またはユーザの操作に応じて入力部２１から再生制御部２６に、再生の終了を指示する信号が供給された場合、再生制御部２６は、再生を終了すると判定する。
【００７８】
ステップＳ４４において、再生を終了しないと判定された場合、処理はステップＳ４２に戻り、コンテンツの再生を終了すると判定されるまで上述した処理が繰り返される。一方、ステップＳ４４において、コンテンツの再生を終了すると判定された場合、再生制御部２６は、コンテンツデータの表示装置への供給を停止し、再生処理は終了する。
【００７９】
このようにして、記録再生装置１１は、ユーザによりコンテンツ記録部２５に記録されているコンテンツの再生が指示されると、指示されたコンテンツを再生し、表示装置に表示させる。また、コンテンツの再生中に、そのコンテンツの視聴履歴の生成が指示されると、指示されたコンテンツの視聴履歴を生成して記録する。
【００８０】
次に、図６のフローチャートを参照して、図５のステップＳ４３の処理に対応する視聴履歴生成処理について説明する。
【００８１】
ステップＳ７１において、視聴履歴データ生成部６２は、視聴履歴の生成が指示されたコンテンツに関する関連情報をコンテンツ記録部２５から取得する。例えばコンテンツ記録部２５には関連情報としてのEPGが記録されており、視聴履歴データ生成部６２は、そのEPGから、再生しているコンテンツに関する情報をコンテンツに関する関連情報として取得する。なお、関連情報は、EPGに限らず、iEPGや他の情報とするようにしてもよい。
【００８２】
ステップＳ７２において、視聴履歴データ生成部６２のコメント生成部７２は、入力部２１からの信号に基づいて、ユーザのコンテンツに対する感想等のコメントを生成する。例えば、ユーザにより視聴履歴の生成が指示されると、再生制御部２６は表示装置にコンテンツに対する感想などのコメントを入力するための画面を表示させ、ユーザはリモートコマンダを操作することにより、ソフトウェアキーボードなどの機能を利用してコメントを入力する。すると、リモートコマンダから入力部２１としての受信部には、入力されたコメントの受付を指示するコマンドが送信され、入力部２１はこのコマンドを受信する。そして、入力部２１は、受信したコマンドに基づいて、ユーザにより入力されたコメントを示す信号を視聴履歴データ生成部６２に供給する。視聴履歴データ生成部６２のコメント生成部７２は、入力部２１からの信号に基づいて、入力されたコメント、より詳細にはそのコメントを表示させるためのデータを生成する。
【００８３】
ステップＳ７３において、動画像データ生成部６３の抽出部７４は、コンテンツ記録部２５から、再生されているコンテンツを取得し、取得したコンテンツから、要約動画像を構成するシーンを抽出する。
【００８４】
例えば、抽出部７４は、コンテンツ記録部２５から再生されているコンテンツ、より詳細には、再生されているコンテンツのコンテンツデータを取得する。そして、抽出部７４は、取得したコンテンツデータを用いて、コンテンツを構成するシーンの切り替わりを検出する。
【００８５】
より具体的には、抽出部７４は、コンテンツを構成するフレームの画像を所定の領域に分割し、分割された領域に含まれる画素の輝度値の総和を領域ごとに求める。そして、抽出部７４は、領域ごとに求めた輝度値の総和に基づいて、フレームの画像に含まれる領域ごとの輝度値の総和の分布を示すヒストグラムを求め、そのヒストグラムを基にフレームの画像の特徴量を求める。さらに、抽出部７４は、このようにして各フレームの画像の特徴量を求めると、コンテンツを構成する全てのフレームについて、フレームの画像の特徴量と、そのフレームの直前に配置された、時間的に１つ前のフレームの画像の特徴量との差分を求める。抽出部７４は、求められた差分の値が所定の閾値よりも大きい場合、そのフレームの画像は、コンテンツを構成するシーンの先頭のフレームの画像であるとする。
【００８６】
したがって、差分の値が閾値よりも大きいフレームから、次の差分の値が閾値よりも大きいフレームの直前のフレームまでの区間が、１つのシーンを構成する区間とされる。
【００８７】
次に、抽出部７４は、コンテンツを構成する各シーンの特徴量を求める。各シーンの特徴量は、例えば各シーンに含まれるフレームにおける所定の色の画素の画素数、コンテンツとしての動画像に付随する音声の音量、各シーンに含まれるフレームにおける動きベクトルの大きさなどに基づいて算出される値とされる。
【００８８】
抽出部７４は、各シーンの特徴量を求めると、その特徴量に基づいてコンテンツを構成するシーンのなかから、コンテンツの内容を理解するために重要ないくつかのシーンを抽出し、抽出されたシーンのそれぞれを、要約動画像を構成するシーンのそれぞれとする。例えば、抽出部７４は、各シーンのうち、特徴量の値が所定の閾値以上であるシーンを要約動画像とされるシーンとして抽出する。
【００８９】
なお、抽出された１つのシーンが１つの要約動画像とされてもよいし、連続または不連続のいくつかのシーンからなる動画像が１つの要約動画像とされてもよい。さらに、抽出された１つのシーンの先頭から数分間などのシーンの一部の区間が要約動画像とされてもよい。
【００９０】
例えば、肌色の画素の画素数に基づいてシーンの特徴量を求めると、人が大きく写っているシーンを抽出することができる。また、動きベクトルの大きさに基づいてシーンの特徴量を求めると、画像の画角がパンやズームなどにより変化するシーンを抽出することができる。
【００９１】
抽出部７４は、コンテンツから要約動画像を構成するシーンを抽出すると、コンテンツデータのうち、抽出されたシーンを再生させるための部分のデータを、要約動画像データとされる動画像データとして再圧縮部７５に供給する。
【００９２】
ステップＳ７４において、再圧縮部７５は、抽出部７４から供給された動画像データを、例えばMPEG2方式などの所定の方式により再圧縮する。例えば、再圧縮部７５は、動画像データを一旦伸張し、これにより得られた動画像データに対して、必要に応じて要約動画像の大きさ、すなわちフレームサイズが小さくなるように、また要約動画像の画素数が少なくなるように、画像変換処理や間引き処理を施してから、それらの処理が施された動画像データを所定の方式により再圧縮する。再圧縮部７５は、再圧縮により得られた要約動画像データを視聴履歴データ生成部６２に供給する。
【００９３】
なお、抽出部７４から再圧縮部７５に供給された動画像が再圧縮されずに、そのまま要約動画像として視聴履歴データ生成部６２に供給されるようにしてもよい。
【００９４】
ステップＳ７５において、視聴履歴データ生成部６２のサムネイル画像生成部７３は、再圧縮部７５からの要約動画像データ、およびコンテンツ記録部２５に記録されている視聴履歴の生成の対象となっているコンテンツのコンテンツデータを用いて、要約動画像およびコンテンツの内容を表すサムネイル画像を生成する。
【００９５】
例えば、サムネイル画像生成部７３は、要約動画像のそれぞれの先頭の画像のそれぞれ、または先頭から数分後の画像のそれぞれがサムネイル画像となるように、再圧縮部７５から供給された要約動画像データのそれぞれを基に、サムネイル画像を生成する。これにより、例えば図３に示したサムネイル画像１０６が生成される。
【００９６】
また、例えばサムネイル画像生成部７３は、コンテンツの先頭の画像がコンテンツの内容を表すサムネイル画像となるように、コンテンツ記録部２５から取得したコンテンツデータを基にサムネイル画像を生成する。これにより、例えば図３に示したサムネイル画像１０３が生成される。
【００９７】
ステップＳ７６において、関連リンク生成部６１の検索部７１は、これから生成する視聴履歴と関連する視聴履歴、すなわち視聴履歴の生成が指示されたコンテンツと関連するコンテンツの視聴履歴を検索する。
【００９８】
例えば検索部７１は、既に生成された視聴履歴のうち、所定のキーワードが含まれている視聴履歴、コンテンツのタイトルが同じ視聴履歴など、所定の条件を満たす視聴履歴を、これから生成する視聴履歴と関連する視聴履歴として検索する。より具体的には、検索部７１は、既に視聴履歴記録部２８に記録されている視聴履歴データのうち、ステップＳ７１の処理において視聴履歴データ生成部６２により取得された関連情報に含まれている出演者、コンテンツのタイトルなどの所定の単語が、関連情報に含まれている視聴履歴データを検索し、検索された視聴履歴データの視聴履歴を、これから生成しようとしている視聴履歴と関連する視聴履歴であるとする。つまり、既に生成された視聴履歴データには、コンテンツの関連情報が含まれており、これまでに生成された視聴履歴データのうち、視聴履歴データに含まれている関連情報に、視聴履歴の生成が指示されたコンテンツについての関連情報に含まれる単語が含まれている視聴履歴データが検索される。
【００９９】
ステップＳ７７において、関連リンク生成部６１は、検索部７１により検索された視聴履歴を示す情報、例えばその視聴履歴により紹介されているコンテンツの視聴日時およびタイトルを表示させるための情報であって、その視聴履歴の視聴履歴データが記録されている視聴履歴記録部２８における位置を示す情報を関連リンクとして生成し、生成した関連リンクを視聴履歴データ生成部６２に供給する。
【０１００】
なお、関連リンクは、これから生成しようとする視聴履歴との関連する度合いが高い順に所定の数だけ生成されるようにしてもよい。
【０１０１】
ステップＳ７８において、関連リンク生成部６１は、関連リンク更新処理を行う。なお、関連リンク更新処理の詳細は後述するが、この関連リンク更新処理において、関連リンク生成部６１は、これから生成する視聴履歴と関連する視聴履歴であって、既に視聴履歴記録部２８に記録されている視聴履歴に表示される関連リンクを更新する処理を行う。
【０１０２】
ステップＳ７９において、視聴履歴データ生成部６２は、関連リンク生成部６１からの関連リンク、サムネイル画像生成部７３により生成されたサムネイル画像、コメント生成部７２により生成されたコメント、およびコンテンツ記録部２５から取得したコンテンツの関連情報を用いて、視聴履歴データを生成する。例えば、視聴履歴データ生成部６２は、図３に示したように、コンテンツを紹介する視聴履歴に、コンテンツを特定するタイトル１０１、視聴日時１０２、サムネイル画像１０３、コメント１０４、コンテンツの内容に関連する情報１０５、要約動画像のサムネイル画像１０６、および関連リンク１０７が表示されるように、視聴履歴データを生成する。視聴履歴データ生成部６２は、視聴履歴データを生成すると、生成した視聴履歴データおよび再圧縮部７５からの要約動画像データを視聴履歴記録部２８に供給する。
【０１０３】
ステップＳ８０において、視聴履歴記録部２８は、視聴履歴データ生成部６２から供給された視聴履歴データおよび要約動画像データを関連付けて記録し、処理は図５のステップＳ４４に進む。
【０１０４】
このようにして、記録再生装置１１は、視聴したコンテンツのタイトル、視聴日時、コメント、コンテンツの内容に関連する情報、サムネイル画像、および関連リンクの表示される視聴履歴の視聴履歴データを生成する。
【０１０５】
このように、視聴したコンテンツのタイトル、視聴日時、コメント、コンテンツの内容に関連する情報、サムネイル画像、および関連リンクの表示される視聴履歴の視聴履歴データを生成することで、ユーザが視聴したコンテンツの内容を簡単に思い出すことの出来る視聴履歴を表示させることができる。したがって、ユーザは視聴履歴を閲覧することで、過去に視聴したコンテンツの内容を簡単に思い出すことができる。
【０１０６】
また、生成した視聴履歴に関連する視聴履歴への関連リンクを表示させることができるので、ユーザは、表示される視聴履歴だけでなく、その視聴履歴に関連する他の視聴履歴も簡単に閲覧することができ、過去に視聴した関連するコンテンツの内容を簡単に思い出すことが出来る。
【０１０７】
さらに、生成された視聴履歴に関連する要約動画像が生成されて視聴履歴記録部２８に記録されるので、ユーザがコンテンツ記録部２５に記録されているコンテンツを削除した場合においても、要約動画像は削除されないので、ユーザは、視聴履歴とともに要約動画像を再生させることができ、より簡単に過去に視聴したコンテンツの内容を思い出すことができる。
【０１０８】
次に、図７のフローチャートを参照して、図６のステップＳ７８の処理に対応する関連リンク更新処理について説明する。
【０１０９】
ステップＳ１１１において、関連リンク生成部６１の検索部７１は、これから生成する視聴履歴と関連する視聴履歴を検索する。例えば検索部７１は、既に生成された視聴履歴のうち、所定のキーワードが含まれている視聴履歴、コンテンツのタイトルが同じ視聴履歴など、所定の条件を満たす視聴履歴を、これから生成する視聴履歴と関連する視聴履歴として検索する。
【０１１０】
すなわち、検索部７１は、既に視聴履歴記録部２８に記録されている視聴履歴データのうち、図６のステップＳ７１の処理において取得された関連情報に含まれている出演者、コンテンツのタイトルなどに含まれる所定の単語が、関連情報に含まれている視聴履歴データを検索し、検索された視聴履歴データの視聴履歴を、これから生成する視聴履歴に関連する視聴履歴であるとする。
【０１１１】
ステップＳ１１２において、関連リンク生成部６１は、検索部７１による検索の結果に基づいて、これから生成する視聴履歴と関連する視聴履歴があるか否かを判定する。ステップＳ１１２において、関連する視聴履歴がないと判定された場合、他の視聴履歴の関連リンクの更新は行わないので、ステップＳ１１３の処理乃至ステップＳ１１５の処理はスキップされて、処理は図６のステップＳ７９に進む。
【０１１２】
これに対して、ステップＳ１１２において、関連する視聴履歴があると判定された場合、処理はステップＳ１１３に進み、関連リンク生成部６１は、これから生成しようとしている視聴履歴、すなわちユーザにより生成が指示された視聴履歴を示す情報を関連リンクとして生成する。
【０１１３】
ステップＳ１１４において、関連リンク生成部６１は、検索された視聴履歴、すなわち生成が指示された視聴履歴と関連する視聴履歴を１つ選択し、その選択された視聴履歴の視聴履歴データを更新する。すなわち、関連リンク生成部６１は、選択した視聴履歴に関連リンクとして、これから生成しようとする視聴履歴を示す情報が表示されるように、視聴履歴記録部２８に記録されている視聴履歴データを更新する。
【０１１４】
これにより、例えば図３に示した視聴履歴が、これから生成しようとする視聴履歴と関連する視聴履歴として検索された場合、検索された視聴履歴に、これから生成しようとする視聴履歴を示す関連リンク１０７−１が表示されるように、その視聴履歴の視聴履歴データが更新される。
【０１１５】
図３の例では、関連する視聴履歴として検索された視聴履歴の視聴日時は、視聴日時１０２に示されるように１９８９年４月１４日とされ、関連リンク１０７−１により示される視聴日時は１９８９年４月２１日とされている。したがって、関連リンク１０７−１により示される視聴日時は、視聴日時１０２により示される視聴日時よりも新しい日時、すなわちより現在時刻に近い日時となっており、既に生成された視聴履歴が更新されて、その視聴履歴に関連する、その視聴履歴より後に生成された視聴履歴を示す関連リンクが表示されるようになる。
【０１１６】
図７のフローチャートの説明に戻り、視聴履歴データが更新されると、ステップＳ１１５において、関連リンク生成部６１は、検索された全ての視聴履歴の視聴履歴データを更新したか否かを判定する。ステップＳ１１５において、まだ全ての視聴履歴データを更新していないと判定された場合、処理はステップＳ１１３に戻り、次の視聴履歴データが更新される。
【０１１７】
一方、ステップＳ１１５において、全ての視聴履歴データが更新されたと判定された場合、処理は図６のステップＳ７９に進む。
【０１１８】
このようにして、記録再生装置１１は、既に生成されて記録されている視聴履歴から、これから生成しようとする視聴履歴に関連する視聴履歴を検索し、検索の結果、得られた関連する視聴履歴に、これから生成しようとする視聴履歴を示す関連リンクが表示されるように、関連する視聴履歴の視聴履歴データを更新する。
【０１１９】
このように、記録されている視聴履歴のうち、これから生成しようとする視聴履歴に関連する視聴履歴の視聴履歴データを更新することで、全ての視聴履歴に、それらの視聴履歴よりも後に生成された他の関連する視聴履歴を示す関連リンクを表示させることができる。これにより、ユーザは、視聴履歴を閲覧する場合に、閲覧している視聴履歴よりも後に生成された関連する視聴履歴についても知ることができ、視聴履歴の閲覧をより楽しむことができる。
【０１２０】
なお、ステップＳ１１１において、関連する視聴履歴を検索し、その結果として得られた視聴履歴の視聴履歴データを更新すると説明したが、図６のステップＳ７６の処理において検索された視聴履歴の視聴履歴データを更新するようにしてもよい。
【０１２１】
すなわち、ステップＳ７６の処理において検索された視聴履歴は、これから生成しようとする視聴履歴と関連する視聴履歴であり、これから生成される視聴履歴には、検索された視聴履歴のそれぞれを示す関連リンクが表示されるので、検索された視聴履歴のそれぞれに、これから生成する視聴履歴を示す関連リンクが表示されるように視聴履歴データを更新することで、検索された視聴履歴と、生成する視聴履歴とを相互に関連付けることができる。つまり、これから生成される視聴履歴には、検索された視聴履歴の関連リンクが表示され、検索された視聴履歴には、これから生成される視聴履歴の関連リンクが表示されることになるので、一方の視聴履歴から関連リンクを選択して、他方の視聴履歴を表示させることはできるが、他方の視聴履歴には関連リンクが表示されないために、一方の視聴履歴を表示させることができなくなるようなことはない。
【０１２２】
また、以上においては、新たに視聴履歴が生成されるごとに関連リンクが更新されると説明したが、関連リンクが最後に更新されてから所定の期間が経過した場合に、関連リンクを更新するようにしてもよい。そのような場合、関連リンク生成部６１は、関連リンクが最後に更新された後に生成された視聴履歴と関連する視聴履歴を検索して、検索の結果得られた視聴履歴の関連リンクを更新する。
【０１２３】
このように、視聴履歴データが生成されて視聴履歴記録部２８に記録されると、ユーザは、視聴履歴を表示させて閲覧することができる。ユーザが視聴履歴を閲覧する場合、例えばユーザはリモートコマンダを操作して、記録再生装置１１に接続されている表示装置にメニュー画面を表示させ、そのメニュー画面から視聴履歴の表示を指示する項目を選択する。
【０１２４】
ユーザがリモートコマンダを操作して視聴履歴の表示を指示すると、リモートコマンダから入力部２１としての受信部には、ユーザの操作に応じたコマンドが送信される。入力部２１は、リモートコマンダからのコマンドを受信すると、視聴履歴の表示を指示する信号を視聴履歴表示制御部２９に供給する。
【０１２５】
入力部２１から視聴履歴表示制御部２９に、視聴履歴の表示を指示する信号が供給されると、記録再生装置１１は、表示装置に視聴履歴を表示させる処理である、視聴履歴表示処理を開始する。以下、図８のフローチャートを参照して、記録再生装置１１による視聴履歴表示処理について説明する。
【０１２６】
ステップＳ１４１において、視聴履歴表示制御部２９は、入力部２１からの信号に応じて、視聴履歴を表示させる。すなわち視聴履歴表示制御部２９は、視聴履歴記録部２８から視聴履歴を表示させるための視聴履歴データを取得し、取得した視聴履歴データを表示装置に供給して表示させる。例えば、視聴履歴表示制御部２９は、記録されている視聴履歴データのうち、最も新しく生成された視聴履歴データを取得する。なお、ユーザが視聴履歴を指定できるようにし、視聴履歴表示制御部２９がユーザにより指定された視聴履歴の視聴履歴データを取得するようにしてもよい。これにより、表示装置には、例えば図３に示した視聴履歴が表示される。
【０１２７】
ステップＳ１４２において、再生制御部２６は、要約動画像を表すサムネイル画像が選択されたか否かを判定する。
【０１２８】
例えば、図３に示した視聴履歴が表示されており、ユーザがリモートコマンダを操作して、サムネイル画像１０６−１乃至サムネイル画像１０６−４のうちのいずれかを選択した場合、リモートコマンダから入力部２１には、ユーザの操作に応じたコマンドが送信され、入力部２１は、送信されてきたコマンドを受信してサムネイル画像１０６が選択された旨の信号を再生制御部２６に供給する。再生制御部２６は、入力部２１からサムネイル画像１０６が選択された旨の信号が供給された場合、サムネイル画像１０６が選択されたと判定する。
【０１２９】
ステップＳ１４２において、サムネイル画像が選択されていないと判定された場合、ステップＳ１４３の処理乃至ステップＳ１４５の処理はスキップされて、処理はステップＳ１４６に進む。
【０１３０】
これに対して、ステップＳ１４２において、サムネイル画像が選択されたと判定された場合、ステップＳ１４３において、再生制御部２６は、選択されたサムネイル画像により示される要約動画像の再生が指示されたか否かを判定する。
【０１３１】
例えば、図３に示した視聴履歴が表示されており、ユーザがサムネイル画像１０６−１により示される要約動画像を再生させたい場合、ユーザはサムネイル画像１０６−１を選択してから、視聴履歴に表示されている図示せぬ再生ボタンを選択したり、メニューを表示させて再生を指示したりする。すると、リモートコマンダから入力部２１には、ユーザの操作に応じたコマンドが送信され、入力部２１は、リモートコマンダからのコマンドを受信して、そのコマンドに応じて、再生を指示する信号を再生制御部２６に供給する。再生制御部２６は、入力部２１から要約動画像の再生を指示する信号が供給された場合、再生が指示されたと判定する。
【０１３２】
ステップＳ１４３において、再生が指示されていないと判定された場合、ステップＳ１４４の処理およびステップＳ１４５の処理はスキップされて、処理はステップＳ１４６に進む。
【０１３３】
一方、ステップＳ１４３において、再生が指示されたと判定された場合、処理はステップＳ１４４に進み、再生制御部２６は、入力部２１から供給された再生を指示する信号に応じて、再生が指示された要約動画像を再生する。すなわち、再生制御部２６は、再生が指示された要約動画像の要約動画像データ、つまり選択されたサムネイル画像１０６により示される要約動画像の要約動画像データを視聴履歴記録部２８から取得する。そして、再生制御部２６は、取得した要約動画像データを所定の方式により伸張し、これにより得られた要約動画像データを表示装置に供給して表示させる。
【０１３４】
例えば、再生制御部２６は、表示装置に要約動画像データを供給して、表示装置の画面全体に要約動画像を表示させる。なお、表示装置に表示される要約動画像は、表示装置の画面全体に限らず、その一部分に表示されるようにしてもよいし、図３に示した視聴履歴の選択されたサムネイル画像１０６が表示されている部分に表示されてもよい。
【０１３５】
また、図３に示す視聴履歴のサムネイル画像１０６のそれぞれの部分に、要約動画像のサムネイル画像ではなく、要約動画像がそれぞれ繰り返し再生されて表示されるようにし、表示されている要約動画像が選択されて再生が指示された場合に、選択された要約動画像が表示装置の画面全体に表示されるようにしてもよい。
【０１３６】
図８のフローチャートの説明に戻り、要約動画像が再生されると、ステップＳ１４５において、再生制御部２６は、再生している要約動画像の再生を終了するか否かを判定する。例えば、要約動画像を最後まで再生した場合、またはユーザの操作に応じて、入力部２１から要約動画像の再生の終了を指示する信号が供給された場合、再生制御部２６は、再生を終了すると判定する。
【０１３７】
ステップＳ１４５において、再生を終了しないと判定された場合、処理はステップＳ１４５に戻り、再生を終了すると判定されるまで判定の処理が繰り返される。一方、ステップＳ１４５において、再生を終了すると判定された場合、再生制御部２６は、要約動画像データの表示装置への供給を終了し、処理はステップＳ１４６に進む。
【０１３８】
ステップＳ１４６において、視聴履歴表示制御部２９は、入力部２１からの信号に基づいて、視聴履歴の表示を終了するか否かを判定する。ステップＳ１４６において、視聴履歴の表示を終了しないと判定された場合、処理はステップＳ１４７に進む。
【０１３９】
ステップＳ１４７において、記録再生装置１１は、ユーザの操作に応じた処理を行い、処理はステップＳ１４２に戻り、上述した処理が繰り返される。例えば、ユーザがリモートコマンダを操作して、図３に示した視聴履歴の関連リンク１０７−１を選択した場合、視聴履歴表示制御部２９は、入力部２１からの信号に基づいて、関連リンク１０７−１により示される視聴履歴の視聴履歴データを視聴履歴記録部２８から取得して、表示装置に、取得した視聴履歴データに基づいて視聴履歴を表示させる。
【０１４０】
また、ステップＳ１４６において、視聴履歴の表示を終了すると判定された場合、視聴履歴表示制御部２９は、視聴履歴の表示を終了させ、視聴履歴表示処理は終了する。
【０１４１】
このようにして、記録再生装置１１は、ユーザの操作に応じて視聴履歴を表示させ、視聴履歴に表示されているサムネイル画像が選択されて、要約動画像の再生が指示されると、指示された要約動画像を再生して表示させる。
【０１４２】
このように、視聴履歴を表示させ、指示された要約動画像を再生することで、ユーザにより過去に視聴されたコンテンツの内容を簡単にユーザに思い出させることができる。
【０１４３】
なお、以上においては、ユーザがリモートコマンダ等を操作してコンテンツに対するコメントを入力すると説明したが、記録再生装置１１に入力部２１としてのキーボードを接続し、キーボードを利用してコメントを入力するようにしてもよいし、記録再生装置１１に他の装置を接続し、他の装置が操作されて入力されたコメントを記録再生装置１１が取得するようにしてもよい。
【０１４４】
また、コンテンツに対するコメントとして、ユーザが、コンテンツについての面白さの度合いを示す記号や数値を選択したり、コンテンツに対する感想等を表す「面白かった」、「つまらなかった」、「お勧め」などの予め定められたいくつかの単語または単語の組み合わせを選択したりするようにしてもよい。この場合、コメント生成部７２は、ユーザの操作に応じて入力部２１から供給された信号に基づいて、ユーザにより選択された記号や数値、または感想を表す単語などが表示されるコメントを生成する。
【０１４５】
さらに、コンテンツに対するコメントとして、ユーザが、コンテンツの内容に関連する単語または単語の組み合わせと、感想等を表す単語または単語の組み合わせとを組み合わせることにより、コメントを入力するようにしてもよい。そのような場合、視聴履歴生成部２７の視聴履歴データ生成部６２は、コンテンツ記録部２５から取得した関連情報に含まれているコンテンツの内容に関連する単語または単語の組み合わせ、例えば「きよしの」、「きよし軍団は」など、コンテンツの出演者やコンテンツの内容を説明する文の一部などを抽出して、視聴履歴表示制御部２９を介して表示装置に表示させる。また、視聴履歴表示制御部２９は、予め定められた「演技が」、「表情が」、「歌が」、「素敵だった」、「カッコ悪かった」、「気持ち悪かった」などの感想等を表す単語または単語の組み合わせを表示装置に表示させる。
【０１４６】
そして、ユーザは、表示装置に表示されたこれらのコンテンツの内容に関連する単語または単語の組み合わせと、感想等を表す単語または単語の組み合わせとを組み合わせて選択し、例えば“きよしの表情がカッコ悪かった”などのコンテンツに対するコメントを入力する。コメント生成部７２は、ユーザの操作に応じて入力部２１から供給された信号に基づいて、ユーザにより選択された単語が組み合わされてできるコメントを生成する。
【０１４７】
さらに、ユーザがコンテンツの再生中に行った、早送り、巻き戻し、停止などの操作に応じた文、例えば「一気に見た」、「飛ばしながら見た」、「殆ど見なかった」などの文に基づいて、コンテンツに対するコメントが生成されるようにしてもよい。例えば、ユーザがコンテンツの再生中に、再生の停止を指示した場合、再生制御部２６は、ユーザの操作に応じて入力部２１から供給された再生の停止を指示する信号に基づいて、コンテンツの再生を停止するとともに、視聴履歴生成部２７のコメント生成部７２に再生の停止が指示された旨の信号を供給する。コメント生成部７２は、再生制御部２６から再生の停止が指示された旨の信号が供給されると、予め再生の停止に関係付けられた「途中で見るのをやめた」、「殆ど見なかった」などの文を用いてコンテンツに対するコメントを生成する。
【０１４８】
さらに、また、ユーザがコンテンツの再生中に行った操作に応じた文と、予め定められた感想等を表す単語または単語の組み合わせとが組み合わされて、コンテンツに対するコメントが生成されるようにしてもよい。
【０１４９】
さらに、以上においては、コンテンツの再生中に、ユーザが視聴履歴の生成を指示すると説明したが、ユーザがコンテンツを再生する前に予め視聴履歴の生成を指示しておき、コンテンツの再生時間が予め定められた設定時間以上となったときに視聴履歴を生成するようにしてもよい。
【０１５０】
そのような場合、ユーザは、リモートコマンダを操作して視聴履歴の生成を予め指示する。そして、ユーザが視聴するコンテンツを指定して再生を指示すると、記録再生装置１１はコンテンツを再生し、そのコンテンツを紹介する視聴履歴を生成する処理である再生処理を開始する。以下、図９のフローチャートを参照して、記録再生装置１１による再生処理について説明する。
【０１５１】
ステップＳ１７１において、再生制御部２６は、入力部２１から供給されたコンテンツの再生を指示する信号に応じて、指定されたコンテンツの再生を開始する。すなわち、再生制御部２６は、コンテンツ記録部２５から指定されたコンテンツのコンテンツデータを取得し、取得したコンテンツデータを所定の方式により伸張する。そして、再生制御部２６は、伸張することで得られたコンテンツデータを記録再生装置１１に接続されている表示装置に供給してコンテンツを表示させる。
【０１５２】
ステップＳ１７２において、再生制御部２６は、コンテンツの再生時間が設定時間を超えたか否かを判定する。ここで、再生時間とは、コンテンツの再生が開始されてから経過した時間をいう。また、設定時間は、３０分などの所定の時間、またはコンテンツの全体の再生時間の５０パーセントの時間などの全体の再生時間に対する所定の割合の時間などとされる。
【０１５３】
ステップＳ１７２において、設定時間を超えていないと判定された場合、処理はステップＳ１７２に戻り、判定の処理が繰り返される。これに対して、ステップＳ１７２において、設定時間を超えたと判定された場合、処理はステップＳ１７３に進む。
【０１５４】
ステップＳ１７３において、記録再生装置１１は、視聴履歴生成処理を行い、再生処理は終了する。この視聴履歴生成処理においては、図６のフローチャートを参照して説明した処理と同様の処理が行われ、再生されたコンテンツについての視聴履歴が生成されて記録される。
【０１５５】
このようにして、記録再生装置１１は、再生しているコンテンツの再生時間が予め定められた設定時間を超えると、再生しているコンテンツの視聴履歴を生成する。
【０１５６】
このように、再生しているコンテンツの再生時間が予め定められた設定時間を超えたときに、コンテンツの視聴履歴を生成することで、ユーザがコンテンツの視聴中にいちいち視聴履歴の生成を指示しなくても視聴履歴を生成させることができる。また、再生時間が予め定められた設定時間を超えたコンテンツの視聴履歴だけを生成するようにしたので、ユーザがつまらなくて途中で視聴をやめたコンテンツなど、ユーザにとって必要のないコンテンツの視聴履歴が生成されることを抑制することができる。
【０１５７】
なお、ユーザがコンテンツを視聴し終えてから、コンテンツを紹介する視聴履歴の生成を指示するようにしてもよい。そのような場合、例えばユーザは、リモートコマンダを操作して表示装置に視聴したコンテンツの一覧を表示させ、そのコンテンツの一覧から、視聴履歴を生成させたいコンテンツを指定し、そのコンテンツの視聴履歴が生成されるように、リモートコマンダを操作する。すると、リモートコマンダから入力部２１としての受信部には、ユーザの操作に応じたコマンドが送信される。
【０１５８】
入力部２１は、リモートコマンダからコマンドが送信されてくると、そのコマンドを受信し、受信したコマンダに応じて、ユーザにより指定されたコンテンツの視聴履歴の生成を指示する信号を視聴履歴生成部２７に供給する。視聴履歴生成部２７は、入力部２１から、ユーザにより指定されたコンテンツの視聴履歴の生成を指示する信号が供給されると、その信号に応じて、図６のフローチャートを参照して説明した視聴履歴生成処理と同様の処理を行い、コンテンツの視聴履歴を生成する。
【０１５９】
また、記録再生装置１１にサーバ機能を実現させ、インターネットや、LAN（Local Area Network）などからなる通信網を介して記録再生装置１１に接続されている他の装置においても、視聴履歴を閲覧できるようにしてもよい。
【０１６０】
そのような場合、記録再生装置１１は、例えば図１０に示すように構成される。なお、図１０において、図１における場合と対応する部分には同一の符号を付してあり、その説明は省略する。
【０１６１】
図１０に示す記録再生装置１１は、入力部２１乃至視聴履歴表示制御部２９が設けられている点において図１の記録再生装置１１と同様であり、新たに送信制御部１３１および通信部１３２が設けられている点で図１の記録再生装置１１と異なる。
【０１６２】
送信制御部１３１は、記録再生装置１１に接続されている他の装置への視聴履歴データの送信を制御する。すなわち、送信制御部１３１は、通信部１３２から視聴履歴の送信を要求する送信要求が供給されると、供給された送信要求に応じて、視聴履歴記録部２８から要求された視聴履歴の視聴履歴データを取得して通信部１３２に供給する。
【０１６３】
通信部１３２は、通信網を介して記録再生装置１１に接続されている他の装置と通信を行う。すなわち、通信部１３２は、他の装置から送信されてきた送信要求を受信して送信制御部１３１に供給し、送信制御部１３１から供給された視聴履歴データを、通信網を介して他の装置に送信する。
【０１６４】
次に、図１１のフローチャートを参照して、図１０に示した記録再生装置１１が、通信網を介して接続されている他の装置からの要求に応じて、視聴履歴データを送信する処理である、視聴履歴送信処理について説明する。
【０１６５】
なお、この視聴履歴送信処理は、記録再生装置１１に接続されている他の装置から、視聴履歴の送信を要求する送信要求が送信されてくると開始される。
【０１６６】
ステップＳ２０１において、通信部１３２は、通信網を介して他の装置から送信されてきた送信要求を受信して送信制御部１３１に供給する。ステップＳ２０２において、送信制御部１３１は、通信部１３２から供給された送信要求により要求されている視聴履歴の視聴履歴データを、視聴履歴記録部２８から取得する。送信制御部１３１は視聴履歴データを取得すると、取得した視聴履歴データを通信部１３２に供給する。
【０１６７】
ステップＳ２０３において、通信部１３２は、送信制御部１３１からの視聴履歴データを、通信網を介して接続されている他の装置に送信し、視聴履歴送信処理は終了する。
【０１６８】
このようにして、記録再生装置１１は、通信網を介して接続されている他の装置に、要求された視聴履歴の視聴履歴データを送信する。
【０１６９】
このように、通信網を介して接続されている他の装置に視聴履歴データを送信することで、他の装置においても視聴履歴を表示させて閲覧することができる。
【０１７０】
また、記録再生装置１１にアップロード機能を実現させ、インターネットなどからなる通信網を介して記録再生装置１１に接続されているサーバに、視聴履歴を投稿できるようにしてもよい。
【０１７１】
そのような場合、記録再生装置１１は、例えば図１２に示すように構成される。なお、図１２において、図１における場合と対応する部分には同一の符号を付してあり、その説明は省略する。
【０１７２】
図１２に示す記録再生装置１１は、入力部２１乃至視聴履歴表示制御部２９が設けられている点において図１の記録再生装置１１と同様であり、新たにメッセージ生成部１６１および通信部１６２が設けられている点で図１の記録再生装置１１と異なる。
【０１７３】
メッセージ生成部１６１は、ウェブページの所定の位置に表示される視聴履歴の視聴履歴データを、記録再生装置１１に接続されているサーバにアップロードするためのリクエストメッセージを生成し、生成したリクエストメッセージを通信部１６２に供給する。ここで、リクエストメッセージとは、視聴履歴データのアップロードを要求する信号をいい、リクエストメッセージには、アップロードされる視聴履歴データなどが含まれている。
【０１７４】
通信部１６２は、通信網を介して記録再生装置１１に接続されているサーバと通信を行う。例えば、通信部１６２は、メッセージ生成部１６１から供給されたリクエストメッセージを、通信網を介してサーバに送信する。
【０１７５】
次に、図１３のフローチャートを参照して、図１２に示した記録再生装置１１が、通信網を介して接続されているサーバに視聴履歴を投稿する処理である、投稿処理について説明する。
【０１７６】
なお、この投稿処理は、ユーザの操作に応じて、入力部２１からメッセージ生成部１６１に、視聴履歴の投稿を指示する信号が供給されると開始される。
【０１７７】
ステップＳ２３１において、メッセージ生成部１６１は、入力部２１からの信号に応じて、視聴履歴データをアップロードするためのリクエストメッセージを生成する。例えば、メッセージ生成部１６１は、視聴履歴記録部２８から投稿が指示された視聴履歴の視聴履歴データを取得し、取得した視聴履歴データが含まれるAtomAPI（Application Program Interface）形式などのサーバにより提供されている所定の形式のリクエストメッセージを生成する。メッセージ生成部１６１は、リクエストメッセージを生成すると、生成したリクエストメッセージを通信部１６２に供給する。
【０１７８】
なお、リクエストメッセージには、視聴履歴データだけでなく、必要に応じて、その視聴履歴データにより表示される視聴履歴に関係付けられた要約動画像の要約動画像データも含まれるようにしてもよい。
【０１７９】
ステップＳ２３２において、通信部１６２は、メッセージ生成部１６１からのリクエストメッセージを、通信網を介して接続されているサーバに送信し、投稿処理は終了する。これにより、リクエストメッセージに含まれている視聴履歴データがサーバに記録されるので、サーバに接続されている他の装置は、サーバから視聴履歴データを受信して視聴履歴を表示させることができる。すなわち、視聴履歴データがサーバにアップロードされることで、視聴履歴がウェブページとして公開され、他のユーザはその視聴履歴を閲覧することができるようになる。
【０１８０】
このようにして、記録再生装置１１は、視聴履歴データが含まれるリクエストメッセージを生成し、通信網を介して接続されているサーバに送信する。
【０１８１】
このように、視聴履歴データが含まれるリクエストメッセージを生成し、通信網を介して接続されているサーバに送信することで、サーバにアクセスできる他の装置においても視聴履歴を表示させて閲覧することができる。このように、コンテンツを紹介する視聴履歴を公開することで、他のユーザとコンテンツを通じてコミュニケーションを図ることができる。
【０１８２】
なお、以上においては、視聴履歴の対象となるコンテンツとして、テレビジョン放送されている番組を例に説明したが、視聴履歴の対象となるコンテンツは、その他、インターネットなどを介して配信される動画像、番組に含まれるコマーシャルフィルム、デジタルビデオカメラにより撮影された動画像などとすることも勿論可能である。
【０１８３】
上述した一連の処理は、ハードウェアにより実行させることもできるし、ソフトウェアにより実行させることもできる。一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば汎用のパーソナルコンピュータなどに、プログラム記録媒体からインストールされる。
【０１８４】
図１４は、上述した一連の処理をプログラムにより実行するパーソナルコンピュータの構成の例を示すブロック図である。パーソナルコンピュータ３０１のCPU（Central Processing Unit）３１１は、ROM（Read Only Memory）３１２、または記録部３１８に記録されているプログラムに従って各種の処理を実行する。RAM（Random Access Memory）３１３には、CPU３１１が実行するプログラムやデータなどが適宜記憶される。これらのCPU３１１、ROM３１２、およびRAM３１３は、バス３１４により相互に接続されている。
【０１８５】
CPU３１１にはまた、バス３１４を介して入出力インターフェース３１５が接続されている。入出力インターフェース３１５には、キーボード、マウス、マイクロホンなどよりなる入力部３１６、ディスプレイ、スピーカなどよりなる出力部３１７が接続されている。CPU３１１は、入力部３１６から入力される指令に対応して各種の処理を実行する。そして、CPU３１１は、処理の結果を出力部３１７に出力する。
【０１８６】
入出力インターフェース３１５に接続されている記録部３１８は、例えばハードディスクからなり、CPU３１１が実行するプログラムや各種のデータを記録する。通信部３１９は、インターネットやローカルエリアネットワークなどのネットワークを介して外部の装置と通信する。
【０１８７】
また、通信部３１９を介してプログラムを取得し、記録部３１８に記録してもよい。
【０１８８】
入出力インターフェース３１５に接続されているドライブ３２０は、磁気ディスク、光ディスク、光磁気ディスク、或いは半導体メモリなどのリムーバブルメディア３３１が装着されたとき、それらを駆動し、そこに記録されているプログラムやデータなどを取得する。取得されたプログラムやデータは、必要に応じて記録部３１８に転送され、記録される。
【０１８９】
コンピュータにインストールされ、コンピュータによって実行可能な状態とされるプログラムを格納するプログラム記録媒体は、図１４に示すように、磁気ディスク（フレキシブルディスクを含む）、光ディスク（CD-ROM(Compact Disc-Read Only Memory),DVD(Digital Versatile Disc)を含む）、光磁気ディスクを含む）、もしくは半導体メモリなどよりなるパッケージメディアであるリムーバブルメディア３３１、または、プログラムが一時的もしくは永続的に格納されるROM３１２や、記録部３１８を構成するハードディスクなどにより構成される。プログラム記録媒体へのプログラムの格納は、必要に応じてルータ、モデムなどのインターフェースである通信部３１９を介して、ローカルエリアネットワーク、インターネット、デジタル衛星放送といった、有線または無線の通信媒体を利用して行われる。
【０１９０】
なお、本明細書において、プログラム記録媒体に格納されるプログラムを記述するステップは、記載された順序に沿って時系列的に行われる処理はもちろん、必ずしも時系列的に処理されなくとも、並列的あるいは個別に実行される処理をも含むものである。
【０１９１】
なお、本発明の実施の形態は、上述した実施の形態に限定されるものではなく、本発明の要旨を逸脱しない範囲において種々の変更が可能である。
【図面の簡単な説明】
【０１９２】
【図１】本発明を適用した一実施の形態の記録再生装置の構成を示すブロック図である。
【図２】視聴履歴生成部のより詳細な構成例を示すブロック図である。
【図３】視聴履歴の表示例を示す図である。
【図４】録画処理を説明するフローチャートである。
【図５】再生処理を説明するフローチャートである。
【図６】視聴履歴生成処理を説明するフローチャートである。
【図７】関連リンク更新処理を説明するフローチャートである。
【図８】視聴履歴表示処理を説明するフローチャートである。
【図９】再生処理を説明するフローチャートである。
【図１０】記録再生装置の他の構成例を示すブロック図である。
【図１１】視聴履歴送信処理を説明するフローチャートである。
【図１２】記録再生装置の他の構成例を示すブロック図である。
【図１３】投稿処理を説明するフローチャートである。
【図１４】パーソナルコンピュータの構成例を示すブロック図である。
【符号の説明】
【０１９３】
１１  記録再生装置，  ２３  記録制御部，  ２４  関連情報取得部，  ２５  コンテンツ記録部，  ２６  再生制御部，  ２７  視聴履歴生成部，  ２８  視聴履歴記録部，  ２９  視聴履歴表示制御部，  ６１  関連リンク生成部，  ６２  視聴履歴データ生成部，  ６３  動画像データ生成部，  ７１  検索部，  ７２  コメント生成部，  ７３  サムネイル画像生成部，  ７４  抽出部，  ７５  再圧縮部，  １３１  送信制御部，  １３２  通信部，  １６１  メッセージ生成部，  １６２  通信部
【図１】
2008078997.tif 000003
【図２】
2008078997.tif 000004
【図３】
2008078997.tif 000005
【図４】
2008078997.tif 000006
【図５】
2008078997.tif 000007
【図６】
2008078997.tif 000008
【図７】
2008078997.tif 000009
【図８】
2008078997.tif 000010
【図９】
2008078997.tif 000011
【図１０】
2008078997.tif 000012
【図１１】
2008078997.tif 000013
【図１２】
2008078997.tif 000014
【図１３】
2008078997.tif 000015
【図１４】
2008078997.tif 000016